(57)【要約】【課題】団体引率者による団体構成員の員数確認を容易化・正確化するとともに、集合に遅れた団体構成員の集合を容易化する。【解決手段】微弱電力利用の通信機能および位置特定機能を持つ親機および子機群からシステムを構成し、親機を団体引率者が、また子機を団体構成員個々が所持する。集合時に親機から子機に対して順次親機現在位置情報を含む員数確認信号を送信し、それを受信した子機側で親機現在位置に対して一定エリア内の位置情報を有する子機のみ応答信号を親機に送信する。一定エリア外にいて集合確認信号を受信した子機はその所持者に対して親機からの員数確認信号が受信された旨の警報信号を発するとともに、自己の表示部上に親機の概略方角および親機までの概略距離を表示する。親機側では前記子機からの応答信号を受信し、応答信号の得られた子機数から集合員数を確認する。【選択図】                図１
2004185162.tif 000002
【特許請求の範囲】
【請求項１】
相互に近距離無線通信が可能な親機と複数の子機から構成され、親機から子機へ順次送信される員数確認信号を受信した子機は、応答信号を親機に向けて送信し、親機は前記応答信号の受信有無あるいは受信した応答信号の内容から子機所持者である団体構成員の員数確認を行うとともに、応答の無い子機所持者の特定を行うことを特徴とする員数確認システム。
【請求項２】
請求項１にあって、親機および子機は音声信号の送受信が可能であることを特徴とする員数確認システム。
【請求項３】
請求項１あるいは請求項２にあって、親機および子機は各々ＧＰＳ受信機のごとき位置特定機能を有していることを特徴とする員数確認システム。
【請求項４】
請求項３にあって、各子機において、親機側から子機側に送信される員数確認信号中に含まれる親機位置情報と各子機が特定した子機位置情報の相対関係によって親機に応答信号を送信すべき子機の限定を行うことを特徴とする員数確認システム。
【請求項５】
請求項４にあって、親機側から子機側へ送信される員数確認信号に対して応答信号送信不可の子機は該子機所持者に対してその旨の警報を出力することを特徴とする員数確認システム。
【請求項６】
請求項４にあって、親機側から子機側へ送信される員数確認信号に対して応答信号送信不可の子機は該子機表示部上に親機位置の概略方角および概略距離を表示することを特徴とする員数確認システム。
【請求項７】
請求項３にあって、親機側から子機側へ送信される員数確認信号に対してすべての子機は親機にたいして子機位置情報を含む応答信号を送信し、親機においては子機から親機に送信される応答信号中の子機位置情報で員数確認有無のきりわけを行うことを特徴とする員数確認システム。
【請求項８】
請求項７にあって、親機側から子機側へ送信される員数確認信号に対して、子機から親機に送信される応答信号中の子機位置情報で員数未確認子機の親機からの概略方角および概略距離を親機表示部上に表示することを特徴とする員数確認システム。
【発明の詳細な説明】
【０００１】
【発明が属する技術分野】
本発明は、例えば団体パッケージ旅行添乗員のような団体引率者が、集合地点での団体構成員全員の集合の有無を簡易に且つ正確に確認するための、員数確認システムに関する。
【０００２】
【従来の技術】
従来の団体引率者の団体構成員員数確認は、目視で計数する方法が一般的であった。
【０００３】
【発明が解決しようとする課題】
本発明は、団体引率者の団体構成員員数確認を、目視て計数する煩わしさ・不正確さに替え、簡易に且つ正確に、且つ未集合の団体構成員の特定をも自動的に行えるようにしようとするものである。
【０００４】
【課題を解決するための手段】
各々微弱電力利用無線通信機能を有する親機および複数の子機よりシステムを構成する。親機および子機の通信可能エリアは各々団体引率者が団体構成メンバーの員数を計数確認するためメンバーを集合させるエリアをカバーできる程度の極く狭い範囲とする。
【０００５】
但し、前記親機および子機にＧＰＳ受信機のような位置特定機能を各々持たせた場合は、通信可能エリアは前記位置特定機能を持たない場合よりも多少広く設定する。
またシステムの電波方式は、近傍に同類のシステムがあっても混信による誤動作のないような方式、例えば周波数拡散方式等、を用いる。
【０００６】
親機は団体引率者が、子機は団体構成員各人が所持するが、子機を団体構成員に配布する際には子機番号と子機所持者名の対応を親機に予め登録する。
【０００７】
集合地で団体引率者が団体構成員の員数確認を行う場合、親機への集合者確認開始操作によって、親機から子機に順次集合者確認の呼びかけ即ち員数確認信号の送信が開始される。本発明による員数確認システムにおける団体引率者の親機での集合者確認開始操作以降の親機および子機の動作は、それらの機能により以下の３種に大別される。
【０００８】
第１の場合は、親機および子機が位置特定機能を持たない場合である。親機からの員数確認信号を受信した子機は自動応答する。子機からの応答信号を受信した親機はその応答信号を受信した子機数から集合員数を算出し、それを親機表示装置上に表示する。未集合者がある場合は団体引率者の親機への未集合者確認操作により未集合者数および応答のなかった子機番号に対応させて抽出した未集合者名を親機表示部上に表示する。
【０００９】
第２の場合は、親機および子機が位置特定機能を有する場合である。親機は先ず自己の位置特定機能での現在位置特定を行い、その後順次子機に対して前記親機位置情報を含む員数確認信号を送信する。親機からの員数確認信号を受信した子機は、受信した前記員数確認信号に含まれている親機位置情報と子機自身が特定した子機位置情報から、子機が親機にごく近くにいる即ち集合地点にいると推定される場合には、親機に対して応答信号を送信する。
【００１０】
子機が親機の位置から離れている即ち集合地点にいないと推定される場合には応答信号は送信せずに親機からの員数確認信号が受信された旨の警報を該子機所持者に発すると同時に子機表示部上に、前記親機位置情報と子機位置情報から算出した親機位置の概略方角および概略距離を表示して該子機所持者の集合場所への急行を支援する。子機からの応答信号を受信した後の親機側の対応は第１の場合と同じである。
【００１１】
第３の場合も、親機および子機が位置特定機能を有する場合である。親機は先ず自己の位置特定機能での現在位置特定を行い、その後順次子機に対して員数確認信号を送信する。親機からの員数確認信号を受信した子機は、子機自身が特定した子機位置情報の如何にかかわらず子機位置情報を含む応答信号を親機に向けて送信する。親機は、子機から送られてきた応答信号中の子機位置情報と前記親機位置情報を比較し、子機位置が親機位置のごく近傍である即ち集合しているとみなされる子機の数だけを計数し、集合員数の確認を行う。
【００１２】
集合員数が足りないときは、親機は未集合者として集合者員数から除外した子機の所有者名とその員数を親機表示装置上に表示する。団体引率者はその表示情報から、未集合の団体構成員の員数および名前を特定する。また必要に応じて親機からの未集合者の概略方向および概略距離を親機表示部上に表示する。場合によっては親機に集合地周辺地図情報を持たせ、その地図上に未集合者の位置を表示してもよい。
【００１３】
【実施例】
以下、本発明の実施例について図１、図２、図３、を用いて説明する。
図１は、本発明の概要説明図である。図１において、
１は、団体引率者が持つ親機、
２Ａ、２Ｂ、２Ｃ、・・２Ｘ、・・は、それぞれ団体構成員が個々に持つ子機、
である。
【００１４】
図２に本発明による員数確認システムのうち、前記第２の場合の親機構成例を示す。図２において、
１１は、子機群２Ａ、２Ｂ、２Ｃ、・・２Ｘ・・との通信を行うための微弱電力利用の送受信機、
１２は、前記送受機１１用の送受信アンテナ、
１３は、親機所持者である団体引率者の音声を前記送受信機１１から送信するための音声ピックアップ用マイクロフォンおよび音声増幅器、前記送受信機１１で受信した子機からの音声信号を出力するための音声増幅器およびスピーカあるいはイヤホンからなる音声信号入出力部、
【００１５】
１４は、団体引率者が集合者確認開始操作をしたとき後述のＧＰＳ受信機１５に現在位置特定の指示を行って親機現在位置情報を確保するとともに、前記送受信機１１に対して子機群２Ａ、２Ｂ、２Ｃ、・・２Ｘ・・への順次員数確認信号の送信を指示し、応答信号の受信できた子機数即ち集合者員数を計数して後述の表示部１６に表示する、また員数確認結果から一部団体構成員の未集合が判明したときは、団体引率者の未集合者確認操作により、表示部１６上に未集合者数および応答信号のなかった子機番号に対応して後述の記憶部１７から抽出された未集合の子機所持者名を表示する制御部、
【００１６】
１５は、前記制御部１４の指示により親機の現在位置を特定するＧＰＳ受信機、
１６は、前記制御部１４の指示により、員数確認を行った結果の表示、あるいは未集合者数、未集合者の子機所持者名を表示する表示部、
１７は、子機群２Ａ、２Ｂ、２Ｃ、・・２Ｘ・・を団体構成員個々に配布する前に子機番号と子機配布先（子機所持者）の対応を入力して記憶させる記憶部、
である。
【００１７】
図３に、本発明による員数確認システムのうち、前記第２の場合の子機２Ａ、２Ｂ、２Ｃ、・・２Ｘ・・構成例を示す。図３において、
２１は、親機１との通信を行うための微弱電力利用の送受信機、
２２は、前記送受機２１用の送受信アンテナ、
【００１８】
２３は、親機１所有者である団体引率者に対して送受信機２２から子機所持者音声を送信するための音声ピックアップ用マイクロフォンおよび音声増幅器、前記送受信機２１で受信した親機１からの音声信号あるいは所有者に未集合であることを警報する警報信号を子機所持者に出力するための音声増幅器およびスピーカあるいはイヤホンからなる音声信号入出力部、
【００１９】
２４は、親機からの員数確認信号を受信したとき後述のＧＰＳ受信機２５に現在位置特定の指示を行って現在位置情報を確保するとともに、親機１から送られてくる員数確認信号中の親機現在位置情報と自らの現在位置情報を比較して応答すべきか否かを判断し、応答可のときは送受信機２２から子機現在位置情報を含む応答信号を親機１に対して送信し、応答不可のときは未集合である旨の警報音声を音声入出力部を制御して該子機所持者に対して出力し、該子機所持者が警報音声を確認した旨の操作を行ったとき警報音声を停止させる、また親機１現在位置情報と自らの現在位置情報から親機１の概略方角および概略距離を算出し後述の表示部２６に表示制御する制御部、
【００２０】
２５は、前記制御部２４の指示により現在位置を特定するＧＰＳ受信機、
２６は、前記制御部２４の指示により、親機１からの員数確認信号に対して応答できなかった場合、親機の概略方角および概略距離を表示する表示部、
である。
【００２１】
次にその動作を説明する。
団体引率者は最初の団体構成員集合時に子機２Ａ、２Ｂ、２Ｃ、・・２Ｘ、・・を、各々子機番号と子機所持者名の対応を親機１の記憶部１７に入力した後団体構成メンバー個々に配布する。
その後員数確認すべき集合地点において団体引率者は親機１に集合者確認開始の操作を行う。この操作を受けて親機１では制御部１４の制御でＧＰＳ受信機１５で現在位置の特定を行い、その結果得られた親機１現在位置情報を含む員数確認信号を送受信機１２から団体構成員の所持する子機２Ａ、２Ｂ、２Ｃ、・・２Ｘ、・・に順次送信する。
【００２２】
員数確認信号を受信した子機２Ａ、２Ｂ、２Ｃ、・・２Ｘ、・・は各々先ず制御部２４の制御でＧＰＳ受信機２５で自らの現在位置を特定し、親機１から送られてきた員数確認信号中の親機現在位置情報と自らの現在位置情報から応答すべきか否か即ち集合場所にいるか否かを判定し集合場所にいると判定した場合は応答信号を親機１に向けて送信する。親機１は子機、例えば２Ａ、２Ｂ、２Ｃ、・・・・、からの応答信号を順次受信し、応答のあった子機数を計数する。計数した子機数が所定の団体構成員数であれば団体構成員はすべて集合したとして員数確認動作は終了する。
【００２３】
所定の数に不足のときは、団体引率者の操作により親機表示部１６上に応答のなかった子機数およびその子機番号、例えば２Ｘ、に対応する子機所持者名を記憶部１７から抽出して表示する。
【００２４】
また未集合の子機、例えば２Ｘ、においては、応答信号を親機１に向けて送信する代わりに、親機からの員数確認信号を受信した旨の警報を該子機所有者に向けて発すると同時に、送られてきた親機現在位置情報と自らの現在位置情報から親機概略方角および親機までの概略距離を算出して表示部２６に表示し未集合者である該子機所持者の集合場所への急行を支援する。
【００２５】
一方前記第１の場合においては、団体構成員の集合の有無は、親機から子機および子機から親機への電波の到達エリア内の団体構成員存在の有無となる。
このような電波到達距離範囲で団体構成員の集合の有無の判断を行うことで足りる場合は、親機および子機にＧＰＳ受信機等の位置特定機能を持たせる必要はなく簡易に且つ安価にシステムが構成できる。
【００２６】
また前記第３の場合は、子機側で集合・未集合の判定は行わずに、親機からの員数確認信号を受信した子機は自らの位置の如何にかかわらず現在位置情報を含む応答信号を親機に送信する。それを受信した親機は受信した応答信号中の子機現在位置情報から子機各々の集合の有無を判定する。応答信号を受信できなかった子機がある場合これらも未集合子機とする。
【００２７】
【発明の効果】
以上のごとく本発明により、団体引率者は団体構成員の集合の確認が容易に且つ正確に行えることになる。また団体構成員も、集合に遅れた場合の警報によって、あるいは団体引率者概略位置（概略方角、概略距離）の表示によって集合地点への急行が容易となる。
【図面の簡単な説明】
【図１】本発明の概要説明図
【図２】本発明による親機構成例
【図３】本発明による子機構成例
【符号の説明】
図１、図２、図３において、
１：親機、
２Ａ、２Ｂ、２Ｃ、・・２Ｘ、・・：子機、
１１、２１：微弱電力利用の送受信機、
１２、２２：送受信兼用アンテナ、
１３、２３：音声信号入出力部、
１４、２４：制御部、
１５、２５：ＧＰＳ受信機、
１６、２６：表示部、
１７：記憶部、
である。
【図１】
2004185162.tif 000003
【図２】
2004185162.tif 000004
【図３】
2004185162.tif 000005